(57)【要約】【課題】  把持腕をレンズから引き剥がそうとする外力によるレンズの破損をより効果的に防止できる縁なしメガネのレンズ取付構造を提供する。【解決手段】  レンズ１の取付孔２１内に金属パイプ２２を填込固定し、この金属パイプ２２に連通してねじ挿通孔を形成する貫通孔２４が穿設された把持腕４ａ１，４ａ２を一端部に有し、他端部がヨロイ２に連結されたレンズ把持部４を備える。上記ねじ挿通孔の一端側から挿入して他端側でその先端部をナット３２に螺入するねじ３１を用いてレンズ１と把持腕４ａ１，４ａ２とを挟着固定する構造とした。把持腕４ａ１，４ａ２をレンズ１から引き剥がそうとする方向に外力がかかったとき、この外力を、ねじ３１が通った金属パイプ２２の全長に亘って受ける構造とし、応力の集中を緩和する。【選択図】        図２
2006267575.tif 000002
【特許請求の範囲】
【請求項１】
レンズに穿設された取付孔内に填込固定された金属パイプと、
レンズ取付時において前記金属パイプに連通する位置に貫通孔が穿設された把持腕を一端部に有し、他端部がレンズ固定部材に連結されたレンズ把持部と、
このレンズ把持部へのレンズ取付時に連通する前記金属パイプと貫通孔とでなすねじ挿通孔の一端側から挿入され、他端側でその先端部がナットに螺入し、そのナットとによって前記レンズと把持腕とを挟着固定するねじとを具備することを特徴とする縁なしメガネのレンズ取付構造。
【請求項２】
前記金属パイプは、前記取付孔内に接着剤を介して填込固定されたことを特徴とする請求項１に記載の縁なしメガネのレンズ取付構造。
【請求項３】
前記ねじは、可撓性を有する合成樹脂材で形成され、その外径寸法が前記金属パイプの内径寸法にほぼ等しく設定されていることを特徴とする請求項１又は２に記載の縁なしメガネのレンズ取付構造。
【発明の詳細な説明】
【技術分野】
【０００１】
本発明は、縁なしメガネのレンズ取付構造に関するものである。
【背景技術】
【０００２】
いわゆるツーポイントフレームと呼ばれるフレームを用いた縁なしメガネは、プラスチック製のレンズを、リムを用いることなくレンズ固定部材に直接取り付ける構造のメガネであって、装着時にメガネが強調されないために見た目が自然であり、また軽量であること等から近年、その需要が高まっている。
【０００３】
図５は、このような縁なしメガネの要部を示す斜視図である。
この図に示すように、縁なしメガネは、左右一対のレンズ１，１と、各レンズ１，１の外縁部を各々保持する左右一対のレンズ固定部材であるヨロイ２，２と、各レンズ１，１の内縁部を保持して両レンズ１，１を連結する中央のレンズ固定部材であるブリッジ３とを備える。
左右の各ヨロイ２，２は、その一端部にあってレンズ１を把持するレンズ把持部４を備える。ヨロイ２の他端部は、蝶番５を介してテンプル６が内外側に回動（折畳）自在に連結される。中央のブリッジ３は、その両端部にあって左右のレンズ１，１を各別に把持するレンズ把持部７，７を備える。ブリッジ３は、一対の鼻当てパッド８，８を備える。
左右、中央のいずれの箇所においても、各レンズ１，１は、レンズ把持部４，７に直接、保持固定されている。
【０００４】
上記レンズ把持部４，７は、一般に図６に示すように構成されている。
図６は、ヨロイ２側のレンズ把持部４を例にとって、その要部断面を示しているが、ブリッジ３側のレンズ把持部７の構造もこれと同様である。
【０００５】
すなわちレンズ把持部４は、レンズ１の正面側に把持腕４ａを有し、この把持腕４ａによってレンズ１を正面側から把持固定する構造を有している。この場合、把持腕４ａ及びレンズ１には、レンズ把持部４へのレンズ取付時において連通する孔９，１０が穿設されている。
レンズ１は、その孔９，１０にレンズ正面側から挿通されたねじ１１及びこのねじ１１の先端が螺入されるナット１２により、把持腕４ａと重ね合わされた状態で挟着固定、つまりヨロイ２に取付固定されている。
【０００６】
図６に示すレンズ取付構造では、矢印イに示すような、把持腕４ａをレンズ１から引き剥がそうとする（ヨロイ２を外側へ開こうとする）方向に外力がかかると、把持腕４ａの先端部を支点とし、ねじ１１による把持腕４ａの締付部を作用点とする梃子が形成されてしまう。このため、レンズ１の把持部４との固定部分に過大な応力が集中し、レンズ１を破損させやすい。
【０００７】
そこで従来、上述したようなレンズ取付構造において、レンズへの応力の集中を緩和するために、レンズ固定用のねじとレンズに設けた取付孔との間にクッション材を挿入すること（特許文献１等、参照）が提案されている。
【特許文献１】特開平１１−２３１２６５号公報
【発明の開示】
【発明が解決しようとする課題】
【０００８】
しかしながら、特許文献１に記載のクッション材によって応力集中を緩和する方法では、上記貫通孔の端縁部への応力集中はある程度緩和されるがその効果は不十分であり、上記外力が大きくなるとレンズの破損は避け得なかった。
本発明は、上記のような実情に鑑みなされたもので、把持腕をレンズから引き剥がそうとする方向への外力によるレンズの破損をより効果的に防止できる縁なしメガネのレンズ取付構造を提供することを目的とする。
【課題を解決するための手段】
【０００９】
上記目的を達成するために、特許請求の範囲の請求項１に記載の縁なしメガネのレンズ取付構造は、レンズに穿設された取付孔内に填込固定された金属パイプと、レンズ取付時において前記金属パイプに連通する位置に貫通孔が穿設された把持腕を一端部に有し、他端部がレンズ固定部材に連結されたレンズ把持部と、このレンズ把持部へのレンズ取付時に連通する前記金属パイプと貫通孔とでなすねじ挿通孔の一端側から挿入され、他端側でその先端部がナットに螺入し、そのナットとによって前記レンズと把持腕とを挟着固定するねじとを具備することを特徴とする。
特許請求の範囲の請求項２に記載の発明は、請求項１に記載の発明において、前記金属パイプは、前記取付孔内に接着剤を介して填込固定されたことを特徴とする。
特許請求の範囲の請求項３に記載の発明は、請求項１又は２に記載の発明において、前記ねじは、可撓性を有する合成樹脂材で形成され、その外径寸法が前記金属パイプの内径寸法にほぼ等しく設定されていることを特徴とする。
【発明の効果】
【００１０】
特許請求の範囲の請求項１に記載の発明は、レンズの取付孔内に金属パイプを填込固定し、この金属パイプに連通してねじ挿通孔を形成する貫通孔が穿設された把持腕を一端部に有し、他端部がレンズ固定部材（ブリッジやヨロイ）に連結されたレンズ把持部を備え、上記ねじ挿通孔の一端側から挿入して他端側でその先端部をナットに螺入するねじを用いてレンズと把持腕とを挟着固定するレンズ取付構造とした。
このようなレンズ取付構造によれば、把持腕をレンズから引き剥がそうとする方向に外力がかかった場合に、この外力を、ねじが通った金属パイプ全長に亘って受けるので、レンズの破損を効果的に防止できる。
特許請求の範囲の請求項２に記載の発明によれば、請求項１に記載の発明において、金属パイプを、レンズに穿設された取付孔内に接着剤を介して填込固定したので、取付孔自体も、その内面及び開口端縁部分が接着剤の固化により補強され、上記外力によるレンズの破損を更に効果的に防止できる。
特許請求の範囲の請求項３に記載の発明によれば、請求項１又は２に記載の発明において、ねじを、可撓性を有する合成樹脂材で形成し、その外径寸法を金属パイプの内径寸法にほぼ等しく設定したので、合成樹脂材からなるねじ軸部及びねじ山が金属パイプ内においてクッションとして作用する。したがって、レンズ把持部から取付孔の内面及び開口端縁部分へ伝わる外力を緩和し、その部分におけるひび、割れ等の発生を防止し、レンズの破損防止効果を更に高める。
【発明を実施するための最良の形態】
【００１１】
以下、本発明の実施の形態を図面に基づき説明する。なお、本明細書で参照される各図間において、同一符号は同一又は相当部分を示す。
図１は、本発明による縁なしメガネのレンズ取付構造の一実施形態を示す分解斜視図、図２は同上レンズ取付構造の要部を拡大して示す横断面図、図３は同じくレンズ把持部における縦断面図であり、いずれの図も左目側のレンズ部分について示している。
なお、右目側のレンズ部分も同様（左右対称）の取付構造となっている。また、ブリッジ側のレンズ部分の取付構造もこれらと同様である。
【００１２】
各図において、１はレンズ（メガネレンズ）であり、一般的には軽量で割れにくく、孔あけ加工や表面処理がしやすい等の利点を有することからプラスチック製が用いられているが、ガラス製であってもよい。ここではプラスチック製が用いられている。
図２，図３に示すように本実施形態では、レンズ１の左右方向の端部近傍に穿設された取付孔２１内に、例えば真鍮やステンレス材からなる金属パイプ２２が填込固定されている。
この金属パイプ２２は、長さが上記取付孔２１の長さ、つまり取付孔２１部分におけるレンズ１の厚さとほぼ同一に形成され、また外径が取付孔２１の内径とほぼ同一に形成されている。
本実施形態において、金属パイプ２２は、取付孔２１内に接着剤２３を介して填込固定されている。接着剤２３がなくても、金属パイプ２２は、その外径が取付孔２１の内径とほぼ同一に形成されていれば取付孔２１内に填込固定されるが、接着剤２３があれば取付孔２１内におけるずれ移動が確実に防止される上に、取付孔２１の内面及び開口端縁部分が接着剤２３の固化により補強されるので好ましい。
【００１３】
レンズ把持部４は、左右のレンズ１，１を中央で連結するブリッジ３（図５参照）と共に縁なしメガネのレンズ固定部材を構成するヨロイ２の一端部に、その他端部が連結して設けられ、レンズ１を把持固定するように構成されている。
すなわちレンズ把持部４は、レンズ取付時において上記金属パイプ２２に連通する位置に貫通孔２４が穿設された把持腕４ａを一端部に有する。図示例では、レンズ把持部４はレンズ１の正面側に位置する第１把持腕４ａ１と、この第１把持腕４ａ１に対向しレンズ１の裏面側に位置する第２把持腕４ａ２との２つの把持腕４ａを有して横断面コ字状に形成されている。
そして、このレンズ把持部４へのレンズ取付時に連通する金属パイプ２２と貫通孔２４，２４とでなすねじ挿通孔(２４-２２-２４)の一端側、ここではレンズ正面に対応する側からねじ３１が挿入され、他端側でそのねじ３１の先端部がナット３２に螺入されることにより、このねじ３１とナット３２によってレンズ１と把持腕４ａ１，４ａ２とを挟着固定するように構成されている。
なお、ヨロイ２の他端部は、蝶番５を介してテンプル６が内外側に回動（折畳）自在に連結されており、従来の縁なしメガネ、更には一般的なメガネと特に変わるところはない。ヨロイ２、レンズ把持部４及びテンプル６部分が、モネル、洋白ばね、サンプラチナやチタン等の合金製であることも一般的なメガネと変わらない。
【００１４】
このようなレンズ取付構造によれば、図２中の矢印イに示すような、把持腕４ａをレンズ１から引き剥がそうとする（ヨロイ２を外側へ開こうとする）方向に外力がかかった場合に、この外力を、ねじ３１が通った金属パイプ２２の全長に亘って受けるので、レンズ１の破損をより効果的に防止できる。
特に、金属パイプ２２が、取付孔２１内に接着剤２３を介して填込固定される構造によれば、取付孔２１自体も、その内面及び開口端縁部分が接着剤２３の固化により補強されるので、上記外力によるレンズ１の破損を更に効果的に防止できる。
本実施形態において、ねじ３１は、可撓性を有する合成樹脂材、例えばナイロン材で形成され、その外径寸法が金属パイプ２２の内径寸法にほぼ等しく設定されている。これによれば、レンズ把持部４を介してねじ３１に、その軸方向と交差する方向に外力が働いた場合でも、ねじ素材自身、特にナイロンからなるねじ軸部及びねじ山が金属パイプ２２内においてクッションとして作用し、取付孔２１の内面及び開口端縁部分へ伝わる外力を緩和し、その部分におけるひび、割れ等の発生を防止する。そして、図２中の矢印イに示す外力によるレンズ１の破損防止効果を更に高める。
【００１５】
発明者の実験によれば、次のような結果が得られた。
まず、レンズ１がプラスチック製であり、ねじ３１がナイロン材で形成された図２に例示のレンズ取付構造（本発明品）につき、これを図２中、反時計回りにほぼ９０度回転させた状態、つまりメガネを立てた状態で固定する。そしてこの状態で、テンプル６を外したヨロイ２の蝶番５部分に、図２中の矢印イに示す外力に見立てた重りを吊り下げる。重りの重量は、レンズ１がレンズ把持部４の部分で破損するまで増大させてゆき、何ｋｇの重量を吊り下げたときにレンズ１が破損するかを測定した。
その結果、本発明品によれば、１８．２ｋｇの重量を吊り下げたときにレンズ１が破損したのに対して、図２に例示のレンズ取付構造において金属パイプ２２、接着材２３を除去した構造（比較品）によれば、１．８ｋｇの重量を吊り下げたときにレンズ１が破損した。つまり本発明品は、金属パイプ２２、接着材２３のない比較品に比べて１０倍程度の強度があることが示された。
【００１６】
なお、ねじ３１の頭と第１把持腕４ａ１との間や、第２把持腕４ａ２とナット３２との間に、可撓性を有する合成樹脂材、例えばナイロン材を座金状に形成したクッション（図示せず）を挿入してもよい。これによれば、締付け後のねじ３１の緩みが防止され、また図２中の矢印イに示す外力がかかった場合に、ねじ３１の頭やナット３２の各周端縁から第１，第２把持腕４ａ１，４ａ２にかかる応力を分散させ得る。
ねじ３１の外周の雄ねじに螺合する雌ねじを金属パイプ２２の内面に形成してもよい。
【００１７】
本実施形態において、レンズ１の破損防止は、基本的には取付孔２１内に填込固定された金属パイプ２２に、特に上記のような長さ及び外径を有する金属パイプ２２に、ねじ３１を挿入することによって行われているので、ねじ３１は金属製でもよい。金属製の場合には、可撓性を有する合成樹脂製のねじ３１とは異なり、素材自身がクッションとして作用することはないので、外周のねじ山（雄ねじ）は、ナット３２に螺入される先端部分のみに形成したねじであってもよい。可撓性を有する合成樹脂製のねじ３１の場合でも、ナット３２に螺入される先端部分のみに雄ねじを形成することとしてもよい。
【００１８】
図示例において、レンズ把持部４を取り付けるレンズ１の端部位置に凹部２５を形成し、レンズ把持部４を、対向する２つの把持腕４ａ１，４ａ２を有する横断面コ字状に形成してそのコ字状部分を凹部２５内に進入させ（図１中の矢印ロ参照）、把持腕４ａ１，４ａ２間にレンズ１を介在させたのは、レンズ１の上下方向（図３中、上下方向）のずれを防止するためである。したがって、他の手段によってレンズ１の上下方向のずれを防止できれば、上記凹部２５は必ずしも必要としない。
また上述実施形態では、レンズ把持部４に２つの把持腕４ａ（４ａ１，４ａ２）を形成した例について述べたが、図４に取り出して示すように、レンズ１の表面側又は裏面側に位置する１つの把持腕４ａのみ、ここではレンズ１の表面側に位置する把持腕４ａ１のみをレンズ把持部４に形成する構造としてもよい。この場合も、レンズ把持部４を除いた構造は図１〜図３に示す構造と同様であるが、１つの把持腕４ａ１のみを形成する構造によれば、レンズ１の厚みに合わせて複数種類のレンズ把持部４を用意しておく必要がなくなる。対向する２つの把持腕４ａ１，４ａ２を形成したレンズ把持部４では、把持腕４ａ１，４ａ２の間隔により使用するレンズ１の厚みが制約されるのに対して、１つの把持腕４ａ（４ａ１又は４ａ２）のみを形成したレンズ把持部４では、そのような制約がないからである。
更に上述実施形態では、図２中の矢印イ方向に外力がかかった場合について説明したが、矢印イとは逆方向に外力がかかった場合も同様にしてレンズ１の破損を効果的に防止できる。
【図面の簡単な説明】
【００１９】
【図１】本発明によるレンズ取付構造の一実施形態を示す分解斜視図である。
【図２】同上レンズ取付構造の要部を拡大して示す横断面図である。
【図３】同じくレンズ把持部における縦断面図である。
【図４】他の実施形態におけるレンズ把持部を取り出して示す斜視図である。
【図５】縁なしメガネの要部を示す斜視図である。
【図６】同上縁なしメガネのレンズ把持部の一般的な例を示す横断面図である。
【符号の説明】
【００２０】
１：レンズ、２：ヨロイ（レンズ固定部材）、４：レンズ把持部、４ａ（４ａ１，４ａ２）：把持腕、２１：取付孔、２２：金属パイプ、２３：接着剤、２４：貫通孔、３１：ねじ、３２：ナット。
【図１】
2006267575.tif 000003
【図２】
2006267575.tif 000004
【図３】
2006267575.tif 000005
【図４】
2006267575.tif 000006
【図５】
2006267575.tif 000007
【図６】
2006267575.tif 000008